(57)【要約】【課題】ランスの下への電線等の進入を防止し、さらにコンタクトの材料の歩留りを向上させた構造のコンタクトおよびコネクタを提供する。【解決手段】コンタクト１０は、側壁１２Ａ,１２Ｂと、前端側および後端側の上壁１３Ｆ,１３Ｒと、ランス２０と、延長片３０とを有する。ランス２０は、前端側の上壁１３Ｆから後方に延び、後端部２０Ａに、コネクタハウジングに係止する係止部２１を有する。延長片３０は、折返し部３１と延長部３２とを有する。折返し部３１は、ランス２０の後端部２０Ａの側方に連続するように下向きに折り返され、さらに後端部２０Ａの下に位置するように折り返されている。また、延長部３２は、折返し部３１に連続してさらに後方に、後端側の上壁１３Ｒの下に入り込むまで延びている。【選択図】図１
2020102339.tif 000002
【特許請求の範囲】
【請求項１】
ハウジング内に挿し込まれるコンタクトであって、
側壁と、
前記側壁から連続して延びる、挿し込みの前端側および後端側の上壁と、
前記前端側の上壁の後端に連続して後方に延び、後端部に、ハウジングに挿し込まれた際に該ハウジングに係止して抜け止めされる係止部を有するランスと、
前記後端部に連続してさらに後方に延びて前記後端側の上壁の下に入り込んだ延長片とを有することを特徴とするコンタクト。
【請求項２】
前記延長片が、前記後端部の側方に連続して該後端部から下向きに折り返され、さらに該後端部の下に位置するように折り返されて、該後端部よりもさらに後方に、前記後端側の上壁の下に入り込まで延びていることを特徴とする請求項１に記載のコンタクト。
【請求項３】
前記側壁は左右両側に設けられ、
前記前端側および後端側の上壁が、左右両側の側壁の各々に連続した、互いに重なる一対の上壁であって、
前記ランスが、前記前端側の一対の上壁のうちの上側に位置する上壁から後方に延び、
前記延長片が、前記後端側の一対の上壁のうちの下側に位置する上壁の下に入り込んでいることを特徴とする請求項１または２に記載のコンタクト。
【請求項４】
請求項１から３のうちのいずれか１項に記載のコンタクトと、該コンタクトが挿し込まれた状態にあるハウジングとを備えたことを特徴とするコネクタ。
【発明の詳細な説明】
【技術分野】
【０００１】
本発明は、ハウジングに係止して抜け止めされるランスを備えたコンタクト、およびそのコンタクトを備えたコネクタに関する。
【背景技術】
【０００２】
ランスを備えたコンタクト、およびそのコンタクトを備えたコネクタが知られている。このランスは、コンタクトの、コネクタハウジングに挿し込まれる向きの前方に固定端を有し後方に延びる片持ち梁形状を有する。そして、このランスは、後方の自由端側にコネクタハウジングと係合する係合部を有する。コンタクトには例えば電線が接続されている。この電線に後方への引き抜きの力が加わると、係合部がコネクタハウジングに突き当たって抜け止めとなる。
【０００３】
ここで、ランスは片持ち梁形状を有する。このため、電線等が自由端側からランスの下側に入り込みやすく、入り込んだ電線等がランスに引っかかってランスが変形する事故が生じるおそれがある。
【０００４】
特許文献１には、ランスの自由端を延長させてコンタクトの上壁の下に潜らせた構造のコンタクトが開示されている。この構造によれば、電線等がランスの下に進入することが防止され、ランスの変形が抑えられる。
【先行技術文献】
【特許文献】
【０００５】
【特許文献１】特開平３−１４７２８２号公報
【発明の概要】
【発明が解決しようとする課題】
【０００６】
上掲の特許文献１に開示された構造の場合、ランスの変形は抑えられるものの、このランスは、コンタクトの上壁から前方に延びるビームを後方へ折り返して形成されている。このため、コンタクトの材料の歩留りが低く、材料の板の単位面積当たり少数のコンタクトしか生産できないという問題がある。
【０００７】
本発明は、上記事情に鑑み、ランスの下への電線等の進入を防止し、さらに引用文献１の構造と比べコンタクトの材料の歩留りを向上させた構造のコンタクトおよびコネクタを提供することを目的とする。
【課題を解決するための手段】
【０００８】
上記目的を達成する本発明のコンタクトは、
ハウジング内に挿し込まれるコンタクトであって、
側壁と、
側壁から連続して延びる、挿し込みの前端側および後端側の上壁と、
前端側の上壁の後端に連続して後方に延び、後端部に、ハウジングに挿し込まれた際にハウジングに係止して抜け止めされる係止部を有するランスと、
上記後端部に連続してさらに後方に延びて後端側の上壁の下に入り込んだ延長片とを有することを特徴とする。
【０００９】
本発明のコンタクトは、側壁から連続する前端側の上壁をそのまま後方に延長させてランスおよび延長片を形成している。このため、コンタクトの上壁から前方に延びるビームを後方へ折り返してランスを形成している引用文献１の構造と比べ、歩留りが向上する。しかも、本発明のコンタクトは、ランスの後端部に連続した延長片を形成して上壁の下に入り込ませている。このため、本発明のコンタクトによれば、ランスの下への電線等の進入が防止される。
【００１０】
ここで、本発明のコンタクトにおいて、上記延長片が、ランスの後端部の側方に連続してその後端部から下向きに折り返され、さらにその後端部の下に位置するように折り返されて、ランスの後端部よりもさらに後方に、後端側の上壁の下に入り込まで延びていることが好ましい。
【００１１】
ランスは、コネクタハウジングに係止することでコンタクトの抜けを防止している。このため、ランスの、コネクタハウジングとの係止部分には、板材の端面が採用され、その端面のエッジをコネクタハウジングに係止させる構造が採用されている。上記のように、ランスの後端部を側方に折り返して延長片を形成することで、ランスのエッジをコネクタハウジングに係止させる構造が容易に実現する。
【００１２】
また、ランスの後端部を側方に折り返して延長片を形成する構造を採用する場合において、
上記側壁は左右両側に設けられ、
上記前端側および後端側の上壁が、左右両側の側壁の各々に連続した、互いに重なる一対の上壁であって、
上記ランスが、前端側の一対の上壁のうちの上側に位置する上壁から後方に延び、
上記延長片が、後端側の一対の上壁のうちの下側に位置する上壁の下に入り込んでいることが好ましい。
【００１３】
このように、ランスを前端側の一対の上壁のうちの上側に位置する上壁から後方に延びるランスにすることによって、ランスの下に接点を配置することができる。また、コンタクトをコネクタハウジングに挿入する際、ランスは、そのコネクタハウジングに一旦上から押されて弾性変形する。延長片は、ランスと一体に繋がっている。このため、ランスが弾性変形する際には、延長片も下側に変位する必要がある。ここでは、延長片を後端側の一対の上壁のうちの下側に位置する上壁の下に入り込ませることによって、その変位を可能としている。
【００１４】
また、上記目的を達成する本発明のコネクタは、本発明のコンタクトと、そのコンタクトが挿し込まれた状態にあるハウジングとを備えたことを特徴とする。
【発明の効果】
【００１５】
以上の本発明によれば、ランスの下への電線等の進入を防止し、さらにコンタクトの材料の歩留りを向上させた構造のコンタクトおよびコネクタが実現する。
【図面の簡単な説明】
【００１６】
【図１】本発明の一実施形態としてのコンタクトの斜視図である。
【図２】図１に示すコンタクトの、図１（Ａ）に示す矢印Ｚ−Ｚに沿う断面図である。
【図３】図１に示すコンタクトの、正面図（Ａ）、側面図（Ｂ）、および背面図（Ｃ）である。
【発明を実施するための形態】
【００１７】
以下、本発明の実施の形態について説明する。
【００１８】
図１は、本発明の一実施形態としてのコンタクトの斜視図である。ここで、図１（Ａ）と図１（Ｂ）は、互いに逆向きの姿勢の斜視図である。図１（Ａ）と図１（Ｂ）が互いに逆向きの姿勢の斜視図であることから、図１（Ａ）と図１（Ｂ）とでは、矢印Ｆ−Ｒが互いに逆向きに示されている。
【００１９】
このコンタクト１０には、図示の部分のほか、矢印Ｒで示す後方に、電線（不図示）と接続される電線接続部が存在する。但し、本実施形態の場合、電線接続部には特徴はなく、したがって、ここでは図示を省略している。また、このコンタクト１０は矢印Ｆの向きにコネクタハウジング内に挿入されるが、本実施形態の場合、コネクタハウジングにも特徴はなく、したがって、ここでは、コネクタハウジングについても図示を省略している。
【００２０】
また、図２は、図１に示すコンタクトの、図１（Ａ）に示す矢印Ｚ−Ｚに沿う断面図である。
【００２１】
さらに、図３は、図１に示すコンタクトの、正面図（Ａ）、側面図（Ｂ）、および背面図（Ｃ）である。
【００２２】
このコンタクト１０は、底壁１１と、一対の側壁１２Ａ，１２Ｂと、互いに重なった一対の上壁１３Ａ,１３Ｂとを有する。一対の側壁１２Ａ,１２Ｂは、右側の側壁１２Ａと左側の側壁１２Ｂとからなる。また、一対の上壁１３Ａ,１３Ｂのうちの上側の上壁１３Ａは、右側の側壁１２Ａに連続している。また、一対の上壁１３Ａ,１３Ｂのうちの下側の上壁１３Ｂは左側の側壁１２Ｂに連続している。ここで上壁１３Ａ,１３Ｂは、前端側の上壁１３Ｆと、後端側の上壁１３Ｒとに分かれている。前端側の上壁１３Ｆでは、上壁１３Ｂが下側に位置し、上壁１３Ａが上側に位置する。一方、後端側の上壁１３Ｒでは、前端側の上壁１３Ｆとは逆に、上壁１３Ａ’が下側に位置し、上壁１３Ｂ’が上側に位置する。
【００２３】
また、このコンタクト１０には、ランス２０が設けられている。このランス２０は、片持ち梁形状を有し、前端側の上壁１３Ｆから矢印Ｒで示す後方に延びている。そして、このランス２０は、後端部２０Ａに、コネクタハウジングに挿し込まれた際にそのコネクタハウジングに係止して抜け止めされる係止部２１を有する。
【００２４】
上述のとおり、前端側の上壁１３Ｆは互いに重ねられた一対の上壁１３Ａ,１３Ｂで構成されている。ランス２０は、それら一対の上壁１３Ａ,１３Ｂのうちの上側に位置する上壁１３Ａに繋がり、その上側に位置する上壁１３Ａから延びている。一対の上壁１３Ａ,１３Ｂのうちの下側に位置する上壁１３Ｂからは、図２に示すように、相手コネクタ（不図示）のコンタクトに接する接触ビーム１４が延びている。ランス２０を、上側に位置する上壁１３Ａから延ばすことにより、そのランス２０の下に接触ビーム１４を配置するスペースを確保している。
【００２５】
ここで、本実施形態では、側壁１２Ａを折り返して上壁１３Ａを形成し、その上壁１３Ａの延長上にランス２０を形成している。これにより、本実施形態のコンタクト１０は、上壁から前方に延びるビームを後方へ１８０°折り返してランスを形成している上掲の特許文献１のコンタクトと比べ、歩留まりを向上させる構造となっている。
【００２６】
ランス２０の後端部２０Ａのさらに後方には、延長片３０が設けられている。この延長片３０は、ランス２０の後端部２０Ａの側方に連続して後端部２０Ａから下向きに折り返され、さらに後端部２０Ａの下に位置するように折り返された折返し部３１を有する。この折返し部３１の配置スペースを確保するために、左側の側壁１２Ｂの内壁面に窪み部１２１が形成されている。さらに、この延長片３０は、この折返し部３１に連続してさらに後方に、後端側の上壁１３Ｒの下に入り込まで延びる延長部３２を有する。ここで、折返し部３１が形成されていることで、ランス２０の後端部２０Ａと延長片３０の後方に延びる延長部３２との間に段差が生まれている。そして、この段差により、係止部２１がコネクタハウジングに係止する際の余裕分として必要となる空間が確保されている。また、このコンタクト１０の場合、ランス２０を延長させた延長片３０が形成され、その延長片３０の延長部３２を後端側の上壁１３Ｒの下に入り込ませている。このことによって、ランス２０の下に電線が入り込みにくくなっている。また、ランス２０の後端部２０Ａに下の空間に電線が入り込んでも、その電線によりランス２０が持ち上げられて変形する事故が抑えられる。
【００２７】
ここで、後端側の上壁１３Ｒも、互いに重ねられた一対の上壁１３Ａ’,１３Ｂ’で構成されている。延長部３２は、それら一対の上壁１３Ａ’,１３Ｂ’のうちの下側に位置する上壁１３Ａ’の下に入り込んでいる。このコンタクト１０をコネクタハウジングに挿入する際、ランス２０は、そのコネクタハウジングに一旦上から押されて弾性変形する。延長片３０は、ランス２０と一体に繋がっている。このため、ランス２０が弾性変形する際には、延長片３０も下側に変位する必要がある。ここでは、延長片３０の延長部３２を後端側の一対の上壁１３Ａ’,１３Ｂ’のうちの下側に位置する上壁１３Ａ’の下に入り込ませている。このことによって、延長片３０の変位を可能としている。
【符号の説明】
【００２８】
１０    コンタクト
１１    下壁
１２Ａ,１２Ｂ  横壁
１３Ａ, １３Ａ’，１３Ｂ,１３Ｂ’  上壁
１３Ｆ  前端側の上壁
１３Ｒ  後端側の上壁
１４    接触ビーム
２０    ランス
２０Ａ  ランスの後端部
２１    係止部
３０    延長片
３１    折返し部
３２    延長部
１２１  窪み部
【図１】
2020102339.tif 000003
【図２】
2020102339.tif 000004
【図３】
2020102339.tif 000005